(57)【要約】【課題】オイルレス性に優れたトナーの提供、及び、該オイルレストナーを用いたプロセスカ−トリッジの提供。【解決手段】（１）環状オレフィン樹脂とワックスとエチルセルロースとの混合物からなるオイルレストナー。（２）環状オレフィン樹脂とワックスと構造中に二重結合を含むセグメントを有する樹脂との混合物からなるオイルレストナー。（３）感光体と、帯電手段、現像手段、クリ−ニング手段より選ばれる少なくとも一つの手段を一体に支持し、画像形成装置本体に着脱自在であるプロセスカ−トリッジにおいて、前記現像手段は、トナー（現像剤）を保持し、該トナー（現像剤）は、（１）又は（２）記載のオイルレストナーであるプロセスカ−トリッジ。【選択図】        図２
2004163640.tif 000002
【特許請求の範囲】
【請求項１】
環状オレフィン樹脂とワックスとエチルセルロースとの混合物からなるオイルレストナー。
【請求項２】
環状オレフィン樹脂とワックスと構造中に二重結合を含むセグメントを有する樹脂との混合物からなるオイルレストナー。
【請求項３】
感光体と、帯電手段、現像手段、クリーニング手段より選ばれる少なくとも一つの手段を一体に支持し、画像形成装置本体に着脱自在であるプロセスカートリッジにおいて、前記現像手段は、トナー（現像剤）を保持し、該トナー（現像剤）は、請求項１又は２記載のオイルレストナーであることを特徴とするプロセスカートリッジ。
【発明の詳細な説明】
【０００１】
【発明の属する技術分野】
本発明は、電子写真用トナーに関し、更に詳しくは、環状オレフィン樹脂を主材料とした、定着性良好な、オフセットの起り難いオイルレストナーに関する。また、本発明は、加熱ローラ型定着機を使用する複写機、プリンター、ファックス、カラー複写機、カラーレーザープリンター、電子写真式高速印刷機等に幅広く応用可能なトナーで、乾式磁性一成分系、乾式非磁性一成分系、乾式二成分系、乾式重合系、液乾式系及び液体トナー系現像剤を定着させる際、定着性、トナースペント防止効果、透明性に優れ且つ鮮明な画像を形成でき、特に所謂オフセット現象が発生しない温度域（以下、非オフセット温度域という）が充分確保され、しかも高速定着性に優れたオイルレストナーに関する。
更に、本発明は、上記オイルレストナーを用いたプロセスカートリッジに関する。
【０００２】
【従来の技術】
急速な技術革新のもと、電子写真複写機及びプリンターにおける高品位画像で定着性に優れ、オフセット現象を防止できる複写画像が、従来にも増して要請されている。
例えば、特許文献１では、オフセット現象防止のため、トナー用結着剤として、環状構造を有し且つ高粘度のオレフィン重合体を選択し、更にアミドワックス、カルナウバワックス、高級脂肪酸及びそのエステル、高級脂肪酸金属石鹸、部分ケン化高級脂肪酸エステル、高級脂肪族アルコール、ポリオレフィンワックス、パラフィンワックスから選択されるワックスを使用することが提案されているが、非オフセット温度域は３０〜４０℃の範囲であって実用的でない。
また、特許文献２では極性ワックスと非極性ワックスを併用することが提案されているが、テフロン（登録商標）ローラの定着に関しては不満足な結果しか得られていない。
【０００３】
【特許文献１】
国際公開公報ＷＯ９８／２９７８３号
【特許文献２】
特開２０００−０６６４３８号公報
【０００４】
【発明が解決しようとする課題】
本発明は、オイルレス性に優れたトナーの提供、及び、該オイルレストナーを用いたプロセスカートリッジの提供を目的とする。
【０００５】
【課題を解決するための手段】
上記課題は、次の１）〜３）の発明（以下、本発明１〜３という）によって解決される。
１）  環状オレフィン樹脂とワックスとエチルセルロースとの混合物からなるオイルレストナー。
２）  環状オレフィン樹脂とワックスと構造中に二重結合を含むセグメントを有する樹脂との混合物からなるオイルレストナー。
３）  感光体と、帯電手段、現像手段、クリーニング手段より選ばれる少なくとも一つの手段を一体に支持し、画像形成装置本体に着脱自在であるプロセスカートリッジにおいて、前記現像手段は、トナー（現像剤）を保持し、該トナー（現像剤）は、１）又は２）記載のオイルレストナーであることを特徴とするプロセスカートリッジ。
【０００６】
以下、上記本発明について詳しく説明する。
本発明１に係る環状オレフィン樹脂とワックスを混合して使用するトナーにおいて、更にエチルセルロースを混合すれば、エチルセルロースの極性をエトキシル置換等で変化させることにより、極端な粘度低下や粘着性の発生を防止でき、耐オフセット性、カラー画像特性等を改善することができる。
同様に、本発明２に係る環状オレフィン樹脂とワックスを混合して使用するトナーにおいて、更に構造中に二重結合を含むセグメントを有する樹脂を混合すれば、極端な粘度低下や粘着性の発生を防止でき、環状オレフィン樹脂（環状構造を有するオレフィン系重合体）が、低粘度（低分子量）の重合体又は重合体フラクションと、高粘度（高分子量）の重合体又は重合体フラクションから構成されるので、非オフセット温度域が高温及び低温側の両方に広がる結果、高速複写時のトナー定着性を向上させ、低温・低圧時の定着性を同時に改善できる。
【０００７】
また、本発明１で用いるエチルセルロースは、マクロ的な観点でみればワックスに溶解しているが、分子のミクロ部分、即ち、該樹脂の構造中、水酸基やエーテル結合などの高極性部とワックスとの相溶性が低いためワックスを単離するのでオイルレス性に顕著な効果を奏する。従って、本発明１で用いるエチルセルロースのように、水酸基やエーテル結合などの高極性部とそれ以外の低極性部を持つ樹脂を環状オレフィン樹脂に混合することにより、環状オレフィン樹脂とワックスの相溶性が非常に良いことによるオイルレス性の低下を補うことができる。
また、本発明２で用いる二重結合を含むセグメントを有する樹脂は、マクロ的な観点でみればワックスに溶解しているが、分子のミクロ部分、即ち、二重結合部分ではワックスとの相溶性が低くワックスを単離するのでオイルレス性に顕著な効果を奏し、該二重結合を含むセグメントを有する樹脂と環状オレフィン樹脂を混合することにより、環状オレフィン樹脂とワックスの相溶性が非常に良いことによるオイルレス性の低下を補うことができる。
【０００８】
【発明の実施の形態】
＜プロセスカートリッジの説明＞
図１に、本発明１又は２に係るオイルレストナーを用いたプロセスカートリッジを有する画像形成装置の概略構成を示す。
図２は、本発明３に係るプロセスカートリッジの一例を示すものであって、２はプロセスカートリッジ全体を示し、１は感光体、５０は帯電手段、４は現像手段、５８はクリーニング手段、３ａは本発明１又は２に係るオイルレストナーを示す。
また、本発明は一成分現像、二成分現像のどちらの方式にも適用できる。
本発明３においては、上述の感光体、帯電手段、現像手段、及びクリーニング手段、本発明１又は２に係るオイルレストナー等の構成要素のうち、複数のものをプロセスカートリッジとして一体に結合して構成する。そして、このプロセスカートリッジを複写機やプリンター等の画像形成装置本体に対して着脱可能に構成して使用する。
【０００９】
＜画像形成装置の説明＞
本発明１又は２に係るオイルレストナーを用いた本発明３に係るプロセスカートリッジを有する画像形成装置においては、感光体が所定の周速度で回転駆動される。感光体は回転過程において、帯電手段によりその周面に正又は負の所定電位の均一帯電を受け、次いで、スリット露光やレーザービーム走査露光等の像露光手段からの画像露光を受けて感光体の周面に静電潜像が順次形成され、次いで該静電潜像は、現像手段によりトナー現像され、現像されたトナー像は、転写手段により、給紙部から感光体と転写手段との間に感光体の回転と同期されて給送される転写材に順次転写されていく。
像転写を受けた転写材は、感光体面から分離されて像定着手段へ導入され、ここで像定着されて複写物（コピ−）として装置外へプリントアウトされる。
像転写後の感光体の表面は、クリーニング手段によって転写残りトナーの除去を受けて清浄面化され、更に除電された後、繰り返し画像形成に使用される。
【００１０】
【実施例】
次に、実施例により本発明をさらに詳細に説明するが、本発明はこれらの実施例によって何ら限定されるものではない。
【００１１】
実施例
図２に示す形態のプロセスカートリッジを使用し、画像形成を行ったところ、非常にドット再現性の良い観定着像が得られ、これを定着するとオフセットのないオイルレス性の高い定着性能が得られた。
また、作像手段の保守、交換を容易にするプロセスカートリッジを提供することができた。
【００１２】
【発明の効果】
本発明１によれば、極端な粘度低下や粘着性の発生を防止でき、耐オフセット性、カラー画像特性等を改善することができるオイルレストナーを提供できる。本発明２によれば、極端な粘度低下や粘着性の発生を防止でき、非オフセット温度域が高温及び低温側の両方に広がる結果、高速複写時のトナー定着性を向上させ、低温・低圧時の定着性を同時に改善できるオイルレストナーを提供できる。
本発明３によれば、本発明１又は２に係るオイルレストナーの特性を活かした、作像手段の保守、交換が容易なプロセスカートリッジを提供できる。
【図面の簡単な説明】
【図１】本発明１又は２に係るオイルレストナーを用いたプロセスカートリッジを有する画像形成装置の概略構成を示す図。
【図２】本発明３に係るプロセスカートリッジの一例を示す図。
【符号の説明】
１  感光体
２  プロセスカートリッジ全体
３  本発明１又は２に係るオイルレストナー
４  現像手段
５０  帯電手段
５８  クリーニング手段
【図１】
2004163640.tif 000003
【図２】
2004163640.tif 000004